(57)【要約】【課題】換気能力を確保しつつ、外部からの粉塵、水滴、ワイヤー等の異物侵入を防止しうる閉鎖配電盤を提供する。【解決手段】実施形態に係る閉鎖配電盤は、天井板と、前記天井板に設けられた開口部と、前記開口部の前後縁部に設けられ、前記天井板の一部を垂直上方向に折り曲げられた一対の第１折れ部と、前記開口部の上方を覆い、前記第１折れ部の上端と所定の距離を有して配置される上板と、前記上板の一部を、前記第１折れ部の外側から対向するようにして、前記上板の一部を垂直下方向に折り曲げた第２折れ部と、を備える。前記第１折れ部の上端と前記上板底面との間、および前記第１折れ部と前記第２折れ部との間には、所定距離の間隙が構成されることにより内部の空気が通気する通気路が構成される。【選択図】図１
2018038227.tif 000002
【特許請求の範囲】
【請求項１】
天井板と、
前記天井板に設けられた開口部と、
前記開口部の前後縁部に設けられ、前記天井板の一部を垂直上方向に折り曲げられた一対の第１折れ部と、
前記開口部の上方を覆い、前記第１折れ部の上端と所定の距離を有して配置される上板と、
前記上板の一部を、前記第１折れ部の外側から対向するようにして、前記上板の一部を垂直下方向に折り曲げた第２折れ部と、を備え、
前記第１折れ部の上端と前記上板底面との間、および前記第１折れ部と前記第２折れ部との間には、所定距離の間隙が構成されることにより内部の空気が通気する通気路が構成される閉鎖配電盤。
【請求項２】
前記第２折れ部の下端は、前記第１折れ部の上端よりも下に位置する請求項１に記載の閉鎖配電盤。
【請求項３】
前記第１折れ部と、前記上板との間に、フィルターが設けられている請求項１に記載の閉鎖配電盤。
【請求項４】
前記第１折れ部の上端と、前記上板の底部との間に、フィルターが設けられている請求項１に記載の閉鎖配電盤。
【請求項５】
前記第１折れ部の外側側面と、前記第２折れ部の内側側面との間に、フィルターが設けられている請求項１に記載の閉鎖配電盤。
【請求項６】
さらに前記開口部を覆い、空気を通過させる穴部を備える中板を備える請求項１に記載の閉鎖配電盤。
【請求項７】
前記中板と前記上板との間にはスペーサが挟在している請求項５に記載の閉鎖配電盤。
【請求項８】
前記中板と前記スペーサと前記上板とを一体的に螺設し、前記閉鎖配電盤の吊下げ部として機能するアイボルトを備える請求項６に記載の閉鎖配電盤。
【発明の詳細な説明】
【技術分野】
【０００１】
本発明の実施形態は、閉鎖配電盤に関する。
【背景技術】
【０００２】
閉鎖配電盤の換気構造は、閉鎖配電盤の正面下部または背面下部に吸気口を設け、閉鎖配電盤の中央上部の天井部分に大きな排気口を設けることが一般的である。天井部に設けられた排気口には外部からの水滴などの異物侵入防止を目的として屋根を設けている。
【先行技術文献】
【特許文献】
【０００３】
【特許文献１】特開２０１５−  ７６９０９号公報
【特許文献２】特開平６−  ２２４１７号公報
【発明の概要】
【発明が解決しようとする課題】
【０００４】
しかし、排気口に、単に屋根を設けただけでは屋根と換気口との間に隙間が存在するため、防塵・防水性に関する国際規格であるＩＥＣ（International Electrotechnical Commission）規格のＩＰ４Ｘ、すなわち直径１ｍｍ以上のワイヤーや固形物体が内部に侵入しない、との規格を満たすことが困難となり、粉塵からの保護を規定するＩＰ５Ｘ規格を満たすことはさらに困難となる。
【０００５】
上記課題に鑑み、実施形態は、換気能力を確保しつつ、外部からの粉塵、水滴、ワイヤー等の異物侵入を防止しうる閉鎖配電盤を提供することを目的とする。
【課題を解決するための手段】
【０００６】
実施形態に係る閉鎖配電盤は、天井板と、前記天井板に設けられた開口部と、前記開口部の前後縁部に設けられ、前記天井板の一部を垂直上方向に折り曲げられた一対の第１折れ部と、前記開口部の上方を覆い、前記第１折れ部の上端と所定の距離を有して配置される上板と、前記上板の一部を、前記第１折れ部の外側から対向するようにして、前記上板の一部を垂直下方向に折り曲げた第２折れ部と、を備える。前記第１折れ部の上端と前記上板底面との間、および前記第１折れ部と前記第２折れ部との間には、所定距離の間隙が構成されることにより内部の空気が通気する通気路が構成される。
【図面の簡単な説明】
【０００７】
【図１】第１実施形態にかかる閉鎖配電盤の上部を斜め上方から見た部分斜視図
【図２】図１のＡ−Ａ線における縦断面図
【図３】図１のＢ−Ｂ線における縦断面図
【図４】図２の円Ｒ１に示す部分の拡大図
【図５】図３の円Ｒ２に示す部分の拡大図
【図６】第２実施形態にかかり、図２の円Ｒ１に示す部分の拡大図に相当する図
【図７】第２実施形態にかかり、図３の円Ｒ２に示す部分の拡大図に相当する図
【図８】第３実施形態にかかり、図７に相当する図
【図９】第４実施形態にかかり、中板に設けられた穴部の形状を示す上面図であり、（ａ）は丸形、（ｂ）は菱形、（ｃ）は花形、（ｄ）はスリット型を示す図
【図１０】第５実施形態にかかる閉鎖配電盤の上部を斜め上方から見た部分斜視図
【発明を実施するための形態】
【０００８】
以下、実施形態について図面に基づいて説明する。実施形態の説明において実質的に同一の構成部位には同一の符号を付し、説明を省略する。
（第１実施形態）
図１から図５は、第１実施形態に係る閉鎖配電盤１の概略構成例を示す図である。図１は第１実施形態にかかる閉鎖配電盤１の上部を斜め上方から見た部分斜視図、図２は図１に示す閉鎖配電盤１端部位置の前後方向に延伸するＡ−Ａ線における縦断面図、図３は図１に示す閉鎖配電盤１の中央部位置の前後方向に延伸するＢ−Ｂ線における縦断面図を示している。図４は図２の円Ｒ１に示す部分の拡大図であり、図５は図３の円Ｒ２に示す部分の拡大図である。図４、図５においてねじ等は省略して描いている。
【０００９】
図１から図５に示すように、閉鎖配電盤１は矩形箱形状の閉鎖配電盤本体１ａを備えており、内部の中央部に母線室１０を備え、前後部分にユニット収納部９を備えている。ユニット収納部９と母線室１０とは、母線室１０内を縦方向に仕切る仕切り板１ｂで区画されている。母線室１０は内部中央部に水平母線８を備えている。閉鎖配電盤１の駆動時に水平母線８が発熱するため、母線室１０内の空気が熱せられ、母線室１０内が高温となる。母線室１０の上部には天井板２に設けられた開口部１０ａが位置しており、開口部１０ａは複数の穴部６ａが設けられた中板６によって覆われている。
【００１０】
閉鎖配電盤１の前後に設けられたユニット収納部９には配電盤ユニット２０が挿抜可能に設けられている。図１は上方斜め正面からの斜視図を示しているが、上方斜め後方からの態様も同様の構成であり、背面にも同じように配電盤ユニット２０が挿抜可能に配置されている。
【００１１】
閉鎖配電盤本体１ａはその上面に、平面状の天井板２を備えている。天井板２の中央部には、天井板２を構成する鋼板に左右方向に延在する開口が設けられており、当該開口は前述の開口部１０ａとなっている。天井板２には、開口部１０ａの前後に位置する縁部に沿って左右方向に延在して垂直上方向に折れ曲げられた一対の折れ部２ａが設けられている。一対の折れ部２ａの間には、開口部１０ａを閉塞するようにして長方形板状の中板６が設けられている。
【００１２】
なお、閉塞と表現したが、これは気密まで意味しているものではなく、母線室１０内の空気は中板６に設けられた穴部６ａおよび後述する間隙Ｃ１およびＣ２を介して外部と出入りが可能である。おおよそ大きな異物の侵入は阻止しうる程度の意味として理解される。穴部６ａが設けられた中板６により開口部１０ａが閉塞されるため、少なくとも穴部６ａの口径よりも大きな異物の出入りを防止することができる。
【００１３】
中板６はその前後縁部にて直角に下方に折れ曲がる折れ部６ｂを備え、折れ部６ｂはユニット収納部９と母線室１０との仕切り壁１ｂに固定されている。中板６によって開口部の左右が連結されることにより、閉鎖配電盤本体１ａの天井板２の剛性強度が向上する。
【００１４】
中板６の左右端部の上部にはスペーサ４が載置されている。スペーサ４は例えば四角柱小片形状を備えている。スペーサ４は所定の高さを備えている。スペーサ４上には上板３が載置されている。スペーサ４は中板６と上板３との間に挟在されている。上板３上には吊下げ部５が図示しないねじにより上板３、スペーサ４とともに中板６に螺設固定されている。上板３は長方形板状であり、前後端部に直角に下方に折れ曲がる折れ部３ａを備えている。上板３および吊下げ部５は閉鎖配電盤１の左右長さにほぼ等しい長さを備えている。吊下げ部５は左右方向に長手方向を備えるＬ字形状の部材すなわちアングル（山形鋼）であり、中央部に図示しない吊下げフック等を引っ掛けるための吊下げ穴５ａを有している。
【００１５】
上板３の折れ部３ａは、天井板２の折れ部２ａよりも外側すなわち前後側に位置している。天井板２の折れ部２ａの上端部と上板３の底面とは上下方向に所定の距離Ｄ１だけ離間する間隙Ｃ１を有して配置されている。距離Ｄ１はスペーサ４の高さによって規定される。天井板２の折れ部２ａと上板３の折れ部３ａは前後方向に所定の距離Ｄ２だけ離間する間隙Ｃ２を有して配置されている。距離Ｄ２は、上板３の前後方向長さによって規定される。
【００１６】
図５に示すように、中板６に設けられた穴部６ａ、折れ部２ａ上端と上板３底部との間の間隙Ｃ１、及び、折れ部２ａと折れ部３ａとの間であって、相互に対向する箇所に位置する間隙Ｃ２により通気路２２が構成されている。図５に空気の流れを矢印で模式的に示している。図５に示すように、母線室１０内部の熱せられた空気は、通気路２２を介して外部と連通しており、これにより母線室１０内の空気は外部と通気して換気される。
【００１７】
上板３は開口部１０ａを覆う保護板として機能しており、上方から落下する例えば水滴などの異物が閉鎖配電盤１内に入りこまないようにしている。
折れ部２ａと折れ部３ａは前後の位置がずれた状態で上下から対向するように位置しており、上板３の底面、折れ部２ａ、折れ部３ａおよび天井板２の上面との間で形成される間隙Ｃ１および間隙Ｃ２において、クランク形状の通過路を構成している。折れ部３ａ下端は、折れ部２ａ上端よりも下に位置している。これにより、前後方向から直線的に母線室１０内部を望むことができず、細い棒状の異物を折れ部３ａの内側に挿入しようとしても、その先の折れ部２ａによって侵入が阻まれるため、折れ部２ａより内側の内部までの到達を防止することができ、閉鎖配電盤１内部を異物の侵入から保護することができる。
【００１８】
すなわち、例えば直径１．０ｍｍ以上のワイヤーのような固形物体の内部への侵入を防止することができるため、ＩＥＣ規格のＩＰ４Ｘ、すなわち直径１ｍｍ以上のワイヤーや固形物体が内部に侵入しない、との規格を満たすことが可能となる。折れ部３ａ下端の位置が、折れ部２ａ上端の位置より、より低く配置されるほど、外部からのワイヤーなどの侵入から閉鎖配電盤１内部を保護する効果が向上する。
【００１９】
（第２実施形態）
次に第２実施形態について、図６および図７を参照して説明する。第２実施形態にかかる閉鎖配電盤１が、第１実施形態と異なる点は、天井板２上部に設けられた折れ部２ｂの上端部に、さらに水平方向に折れ曲がる台座部２ｃが設けられ、台座部２ｃと上板３底部との間の間隙を埋めるようにフィルター１２が設けられている点である。ここで、折れ部２ｂは第１実施形態における折れ部２ａに相当する。フィルター１２を折れ部２ｂ（第１実施形態における折れ部２ａに相当する）と上板３底部との間に保持することができれば、必ずしも台座部２ｃを設ける必要はない。
【００２０】
フィルター１２は左右方向に長手方向を有する直方体形状を備えている。フィルター１２としては、例えばウレタン樹脂を膨らませた発泡体であるウレタンフォームを用いることができる。フィルター１２は三次元網目構造を備えており、通過する空気から粉塵等の異物を吸着除去するフィルターの機能を備えている。フィルター１２は、台座部２ｃと上板３底部とによってやや押圧された状態で、台座部２ｃと上板３底部との間の間隙を隙間なく埋めるようにして設けられている。母線室１０内の空気はフィルター１２を通過して換気されるため、母線室１０内に粉塵が侵入することが防止される。これにより、閉鎖配電盤１の正常な作動に支障をきたしたり、閉鎖配電盤１の安全性を損なったりすることがない。また、これにより、粉塵からの保護を規定するＩＰ５Ｘ規格を満たすことが可能となる。
【００２１】
（第３実施形態）
次に第３実施形態について、図８を参照して説明する。第３実施形態にかかる閉鎖配電盤１が、第２実施形態と異なる点は、第２実施形態においてフィルター１２が台座部２ｃ上部と上板３底面との間に設けられていた点を、折れ部２ａの前側側面と折れ部３ａの後側側面との間にフィルター１２ａを設けた点である。フィルター１２ａは例えば接着剤によって折れ部２ａおよび折れ部３ａに接着固定されている。
【００２２】
これによれば第２実施形態と同様の効果を奏する。また、閉鎖配電盤本体１ａの構成として、第１実施形態と同様の構成を利用できるため、台座部２ｃを必要としない簡単な構造を採用することができる。
【００２３】
（第４実施形態）
次に第４実施形態について、図９を参照して説明する。第４実施形態では、中板６に設けられた穴部６ａ、６ｂ、６ｃ、６ｄの形状のバリエーションについて説明する。図９（ａ）に示す穴部６ａは丸形穴であり、穴部６ａが縦横に複数配列している。図９（ｂ）に示す穴部６ｃはひし形形状の穴であり、穴部６ｃが縦横に複数配列している。図９（ｃ）に示す穴部６ｄは花形形状の穴であり、穴部６ｄが千鳥状に配列している。図９（ｄ）に示す穴部６ｅはスリット形状の穴であり、穴部６ｅが縦横に複数配列している。図９（ａ）から（ｄ）に示す穴部６ａ、６ｂ、６ｃ、６ｄの並び方は一例であり、他の配列方法としてもよい。例えば図９（ｄ）の穴部６ｅを千鳥状に配列してもよい。
【００２４】
（第５実施形態）
次に第５実施形態について、図１０を参照して説明する。第５実施形態にかかる閉鎖配電盤１が、第１実施形態と異なる点は、第１実施形態において設けられていた吊下げ部５に替えてアイボルト１４を設けた点である。
【００２５】
アイボルト１４は、中央に穴が設けられたドーナツ状の吊下げ穴部１４ａおよびねじ溝が設けられた軸部１４ｂを備えている。吊下げ穴部１４ａは閉鎖配電盤本体１ａを吊り上げる際に、フック等で引っ掛けるためのものであり、アイボルト１４は吊下げ部として機能する。上板３およびスペーサ４はアイボルト１４の軸部１４ｂに設けられたねじ溝によって中板６に螺設されており、これにより、閉鎖配電盤本体１ａと上板３およびスペーサ４等を一体的に螺設固定することができる。また、アイボルト１４を使用して閉鎖配電盤本体１ａを吊り上げる際に、図示しないクレーン用ワイヤが干渉する部材がないため、閉鎖配電盤本体１ａの吊り上げ作業が容易になる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
図面中、１は閉鎖配電盤、１ａは閉鎖配電盤本体、２は天井板、２ａは折れ部（第１折れ部）、２ｂは折れ部（第１折れ部）、２ｃは台座部、３は上板、３ａは折れ部（第２折れ部）、４はスペーサ、５は吊下げ部、６は中板、６ａは折れ部、６ａ、６ｃ、６ｄ、６ｅは穴部、１０ａは開口部、１２、１２ａはフィルター、１４はアイボルト、を示す。
【図１】
2018038227.tif 000003
【図２】
2018038227.tif 000004
【図３】
2018038227.tif 000005
【図４】
2018038227.tif 000006
【図５】
2018038227.tif 000007
【図６】
2018038227.tif 000008
【図７】
2018038227.tif 000009
【図８】
2018038227.tif 000010
【図９】
2018038227.tif 000011
【図１０】
2018038227.tif 000012